(57)【要約】【課題】梱包箱の内部に収納される個々の樋支持具の傷付きを防止できるうえ、収納された樋支持具が梱包箱を突き破る危険もなく、しかも、収納される樋支持具の所定数を簡単且つ確実に確認できる樋支持具の梱包収束具を提供する。【解決手段】梱包箱の内部に樋支持具Ｔを収束して収納するための梱包収束具Ａであって、基板１１の長手方向に、上記樋支持具Ｔの打込み用釘足部Ｔ１を収納する開口部１２が一定間隔をあけて並設された樋支持具整列支持体１と、上記基板１１の側端に連設して、上記樋支持具Ｔの本体部Ｔ２を収納するカバー体２と、より構成したことを特徴とする。【選択図】図１
2006182440.tif 000002
【特許請求の範囲】
【請求項１】
梱包箱の内部に樋支持具を収束して収納するための梱包収束具であって、
基板の長手方向に、上記樋支持具の打込み用釘足部を収納する開口部が一定間隔をあけて並設された樋支持具整列支持体と、
上記基板の側端に連設して、上記樋支持具の本体部を収納するカバー体と、より構成したことを特徴とする樋支持具の梱包収束具。
【請求項２】
請求項１において、
カバー体の開放端には、これを開閉可能な係止機構を設けたことを特徴とする樋支持具の梱包収束具。
【請求項３】
請求項１又は２の何れかにおいて、
梱包収束具が梱包箱に反転して収納可能な形状に形成されていることを特徴とする樋支持具の梱包収束具。
【請求項４】
請求項１又は２の何れかにおいて、
基板は、打込み用釘足部を収納可能な釘足収納部を備えたことを特徴とする樋支持具の梱包収束具。
【請求項５】
請求項１〜４の何れかにおいて、
梱包収束具が焼却処理しても無害な可燃性材料で形成されていることを特徴とする樋支持具の梱包収束具。
【請求項６】
請求項１〜５の何れかにおいて、
梱包収束具に取手部を設けたことを特徴とする樋支持具の梱包収束具。
【請求項７】
請求項１〜５の何れかにおいて、
カバー体には、上記樋支持具を外部から目視可能な覗き窓部を形成したことを特徴とする樋支持具の梱包収束具。
【発明の詳細な説明】
【技術分野】
【０００１】
本発明は、ダンボール箱などの梱包箱の内部に樋支持具を収束して収納するための梱包収束具に関する。
【背景技術】
【０００２】
一般に、樋支持具を目的地に輸送等する際には、例えば、ダンボール箱などの梱包箱の内部に、所定数の前記樋支持具をランダムに収納したうえで、前記梱包箱をテープなどで封止し、これらの梱包箱を箱積みして既存の輸送手段で輸送する。
【０００３】
そして、目的地に輸送された後には、上記テープを剥がして梱包箱を開放し、内部に収納された樋支持具を必要数だけ取り出して、作業現場等で使用するのである。
【０００４】
なお、樋支持具を束ねるようなものは、従来にはなかった。
【発明の開示】
【発明が解決しようとする課題】
【０００５】
しかしながら、樋支持具を目的地に輸送等する場合には以下の問題があった。
【０００６】
先ず、梱包箱の内部では、輸送中の振動等によって、樋支持具同士がぶつかり合って樋支持具を傷付けてしまう問題がある。
【０００７】
一方、上記問題は、樋支持具を個別に包装すれば解消できるが、数十個〜数百個単位で１つの梱包箱に収納される樋支持具を個別に包装すれば、包装作業に手間を要するうえ、コストが増すため、採用することはできない。
【０００８】
次に、梱包箱の積込み、積降し作業の衝撃などによって、内部に収納されている樋支持具が、前記梱包箱を突き破ってしまう恐れがあり、特に、樋支持具の打込み用釘足部は、先端が鋭利であるため、梱包箱を突き破る恐れが高く、危険であるという問題がある。
【０００９】
そこで、上記梱包箱に収納される所定数の樋支持具を、小さなダンボール箱或いは小袋に小分けして一旦収納し、これら小箱、小袋を上記梱包箱に複数収納することで、いわば２重構造にしたうえで、輸送等を行うことも考えた。
【００１０】
しかし、このような２重構造では、梱包箱を突き破る恐れを解消できるものの、依然として上記の樋支持具を傷付けてしまう問題を解決することはできなかった。
【００１１】
更に、梱包箱の内部に収納されている樋支持具の有無、或いは、残数等を容易に確認できないという問題もある。
【００１２】
この問題は、輸送後の目的地、作業現場で樋支持具の所定数を確認する場合だけでなく、梱包箱の内部に収納するメーカー側でも同様に生じ得る。
【００１３】
すなわち、梱包箱の内部に収納される樋支持具の所定数は、一般に数十個〜数百個単位であり、このような大量な樋支持具の所定数を一々確認することは手間が多いうえ、数の間違いも生じ易く、非常に困難であった。
【００１４】
そのため、梱包箱内部に収納されている樋支持具の所定数を、簡単に確認できる手段が要望されている。
【００１５】
本発明は、これらの課題を一気に解決することを目的として新規に創作したもので、梱包箱の内部に収納される個々の樋支持具の傷付きを防止できるうえ、収納された樋支持具が梱包箱を突き破る危険もなく、しかも、収納される樋支持具の所定数を簡単且つ確実に確認できる樋支持具の梱包収束具を提供する。
【課題を解決するための手段】
【００１６】
上記目的を達成するため、
請求項１に係る樋支持具の梱包収束具は、梱包箱の内部に樋支持具を収束して収納するための梱包収束具であって、基板の長手方向に、上記樋支持具の打込み用釘足部を収納する開口部が一定間隔をあけて並設された樋支持具整列支持体と、上記基板の側端に連設して、上記樋支持具の本体部を収納するカバー体と、より構成したことを特徴とする。
【００１７】
請求項２に係る樋支持具の梱包収束具は、請求項１において、カバー体の開放端には、これを開閉可能な係止機構を設けたことを特徴とする。
【００１８】
請求項３に係る樋支持具の梱包収束具は、請求項１又は２の何れかにおいて、梱包箱に反転して収納可能な形状に形成されていることを特徴とする。
【００１９】
請求項４に係る樋支持具の梱包収束具は、請求項１又は２の何れかにおいて、基板は、打込み用釘足部を収納可能な釘足収納部を備えたことを特徴とする。
【００２０】
請求項５に係る樋支持具の梱包収束具は、請求項１〜４の何れかにおいて、焼却処理しても無害な可燃性材料で形成されていることを特徴とする。
【００２１】
請求項６に係る樋支持具の梱包収束具は、請求項１〜５の何れかにおいて、取手部を設けたことを特徴とする。
【００２２】
請求項７に係る樋支持具の梱包収束具は、請求項１〜５の何れかにおいて、カバー体には、上記樋支持具を外部から目視可能な覗き窓部を形成したことを特徴とする。
【発明の効果】
【００２３】
本発明によれば、次のような効果がある。
請求項１に係る樋支持具の梱包収束具によれば、樋支持具は、樋支持具整列支持体の開口部に打込み用釘足部を収納して整列されるため、隣設された樋支持具同士がぶつかり合って樋支持具が傷付くことを防止できる。
【００２４】
また、樋支持具整列支持体の開口部全てに樋支持具の打込み用釘足部が収納されていれば、梱包収束具が収納する樋支持具の数量が特定されるため、梱包箱内部に収納されている梱包収束具の数を数えるだけで、梱包箱内部に収納されている樋支持具の所定数を、簡単に確認できる。
【００２５】
一方、樋支持具整列支持体の開口部に樋支持具の打込み用釘足部が収納されていなければ、樋支持具の不足が一目で判るので、樋支持具の所定数を、確実に確認できる。
【００２６】
更に、樋支持具整列支持体の基板に連設されたカバー体は、本体部を収納しているので、輸送中の振動等によって、樋支持具同士がぶつかり合って樋支持具が傷付くことを確実に防止できる。
【００２７】
請求項２に係る樋支持具の梱包収束具によれば、カバー体の開放端には、これを開閉可能な係止機構を設けているので、輸送中の振動等によるカバー体の外れを防止できると共に、本体部がカバー体内で整列して収納できる。
【００２８】
請求項３に係る樋支持具の梱包収束具によれば、梱包収束具は、梱包箱に反転して収納可能な形状に形成しているので、梱包箱の内部に上記梱包収束具を密な状態で無駄なく収納でき、輸送中の振動等による梱包収束具のガタツキが防止できるうえ、梱包箱を小型化できる。
【００２９】
請求項４に係る樋支持具の梱包収束具によれば、樋支持具の打込み用釘足部を収納可能な釘足収納部を備えているので、梱包箱に収納された打込み用釘足部が梱包箱を突き破ってしまう危険がなく、安全である。
【００３０】
請求項５に係る樋支持具の梱包収束具によれば、梱包収束具は、焼却処理しても無害な可燃性材料で形成しているので、樋支持具を使用した後に不要となった上記梱包収束具を、作業現場等で安全に焼却処理できる。
【００３１】
請求項６に係る樋支持具の梱包収束具によれば、梱包収束具に取手部を設けているので、複数の樋支持具が収納された梱包収束具を簡単に持ち運ぶことができ、例えば、高所にある作業現場などに複数の樋支持具を簡単且つ安全に持ち運ぶことができる。
【００３２】
請求項７に係る樋支持具の梱包収束具によれば、カバー体には、樋支持具を外部から目視可能な覗き窓部を形成しているので、カバー体を開放しなくても、その内部に収納されている樋支持具の所定数を簡単に確認できる。
【発明を実施するための最良の形態】
【００３３】
以下、本発明に係る樋支持具の梱包収束具Ａを図面とともに説明する。
【実施例１】
【００３４】
図１は、本発明に係る樋支持具の梱包収束具Ａの一実施例を示す使用状態の概略斜視図、図２は、図１で示した梱包収束具Ａのカバー体を閉止して裏面側から見た状態の概略斜視図である。
【００３５】
この樋支持具Ｔの梱包収束具Ａ（以下、単に「梱包収束具Ａ」と略する。）は、ダンボール箱等の梱包箱（不図示）の内部に、樋支持具Ｔを収束して収納するためのものあって、基板１１の長手方向に、樋支持具Ｔの打込み用釘足部Ｔ１を収納する開口部１２が一定間隔をあけて並設された樋支持具整列支持体１と、基板１１の側端に連設して、樋支持具Ｔの本体部Ｔ２を収納するカバー体２と、より構成してなる。
【００３６】
ここで、樋支持具Ｔは、打込み用釘足部Ｔ１と本体部Ｔ２とで構成されてなり、図１、２で示した樋支持具Ｔは、竪樋を抱持する環状の本体部Ｔ２を示したものであるが、これ以外にも、例えば、図８（ａ）、（ｂ）で示すような、雨樋を吊下げて支持する本体部Ｔ２と打込み用釘足部Ｔ１よりなる樋支持具Ｔ、或いは、雨樋を受け支持する本体部Ｔ２と打込み用釘足部Ｔ１よりなる樋支持具Ｔでも同様である。
【００３７】
なお、本実施例で示した打込み用釘足部Ｔ１の形状は、断面丸形状であるが、図例以外の形状、例えば、断面角形状、断面楕円形状等であっても勿論構わない。
【００３８】
以下、各部材について詳説する。
【００３９】
樋支持具整列支持体１は、基板１１の長手方向に、樋支持具Ｔの打込み用釘足部Ｔ１を収納する開口部１２が一定間隔をあけて並設されている。
【００４０】
ここでの基板１１は、紙材を帯板状に形成したものを示しており、この基板１１の長手方向に向けて一定間隔をあけて十字に切り込みを形成した開口部１２を形成して、樋支持具Ｔの打込み用釘足部Ｔ１を保持できるようにしている。
【００４１】
これら基板１１及び開口部１２は、樋支持具Ｔの形状、或いは、打込み用釘足部Ｔ１の形状等に応じて適宜選択されるものであり、要は、樋支持具Ｔの打込み用釘足部Ｔ１が簡単に抜け外れない程度に一定間隔をあけて保持できるものであれば構わない。
【００４２】
また、樋支持具整列支持体１は、図１の枠内で示した要部拡大断面図に示したように  基板１の側端を上方に向けて折り返して三角形状に形成し、この基板１１の開口部１２に打込み用釘足部Ｔ１を差し込んで保持したときには、少なくとも打込み用釘足部Ｔ１の先端が収納される釘足収納部１３を形成している。
【００４３】
このような釘足収納部１３を形成しておけば、梱包箱（不図示）に梱包収束具Ａを収納しても、打込み用釘足部Ｔ１は、釘足収納部１３及び梱包箱（不図示）による二重構造で保護されるため、打込み用釘足部Ｔ１が梱包箱（不図示）を突き破ってしまう危険がなく、安全である。
【００４４】
カバー体２は、基板１１の側端に連設され、樋支持具Ｔの本体部Ｔ２を収納するように形成している。
【００４５】
図例で示したカバー体２は、樋支持具Ｔの全体形状に合わせて、側面視略三角状に形成しており、このカバー体２が本体部Ｔ２の一部に密接して外装されるため、本体部Ｔ２がカバー体２で保持され、本体部Ｔ２同士がぶつかり合って樋支持具Ｔが傷付くことを防止できる。
【００４６】
このようにカバー体２を側面視略三角状に形成し、梱包収束具Ａの全体形状も側面視略三角状に形成すれば、複数の梱包収束具Ａ同士を上、下（又は左、右）を反転させた状態で梱包箱（不図示）に収納することができ、梱包箱（不図示）の内部に複数の梱包収束具Ａを密な状態で無駄なく収納でき、輸送中の振動等による梱包収束具Ａのガタツキを防止できるうえ、梱包箱（不図示）も小型化できる。
【００４７】
また、カバー体２の開放端には、これを開閉可能な係止機構３を設けている。
【００４８】
図１で示す係止機構３は、カバー体２の開放端に長孔の係止孔３１を開設すると共に、この係止孔３１に係止可能な突片３２を、樋支持具整列支持体１の対応箇所に形成したものを示している。もっとも、係止機構３は、図例のものに限られず、カバー体２の閉止状態を維持することができ、この係止機構３を解除すれば、カバー体２が開放できる構造のものであれば採用できる。
【００４９】
この係止機構３を設けておけば、輸送中の振動等によって、カバー体２が不用意に外れることを防止し、本体部Ｔ２同士がぶつかり合って樋支持具Ｔが傷付くことを防止できる。
【００５０】
更に、カバー体２には、樋支持具Ｔを外部から目視可能な覗き窓部４を形成している。ここでは、カバー体２の長手方向に向けて長孔が開設された覗き窓部４を形成している。
【００５１】
このような覗き窓部４を形成すれば、カバー体２を開放しなくても、その内部に収納されている樋支持具Ｔの有無を簡単に確認できる。なお、覗き窓部４をカバー体２の長手方向の略全体に亘って開設すれば、内部に収納されている樋支持具Ｔの数を簡単に確認できる。
【００５２】
以上のように構成した梱包収束具Ａは、これを焼却処理しても無害な可燃性材料で形成するのが望ましく、具体的には、再生紙などの紙材を用いるのが良く、そのため、樋支持具Ｔを使用した後に不要となった梱包収束具Ａを、作業現場等で焼却処理しても無害且つ安全に廃棄処理できる。
【００５３】
更に、梱包収束具Ａには、その適所に取手部５を設けることによって、当該梱包収束具Ａを簡単に持ち運ぶことができる。
【００５４】
図例では、カバー体２に開設した覗き窓部４が長孔であるため、これを取手部５として兼用することができる。
【００５５】
このような取手部５を設けておけば、例えば、高所にある作業現場などに梱包収束具Ａを簡単に持ち運ぶことができるので、複数の樋支持具Ｔを一度に簡単且つ安全に持ち運ぶことができる。
【００５６】
このように構成された本発明の梱包収束具Ａは、以下の要領にして簡単に製造できる。
【００５７】
図３は、図１、２で示した梱包収束具Ａの組立て前の展開状態を示す平面図である。
【００５８】
この図３で示すように、再生紙などの紙材を型紙（不図示）に合わせて周知の裁断機によって裁断する。
【００５９】
そして、この裁断された紙材の図中（イ）及び（ロ）を折り曲げ、その基板１１の長手方向の側縁に形成した突片６を、対応する係止孔６１に係止して、三角形状の樋支持具整列支持体１を形成する。
【００６０】
また、突片６と直交する上記紙材の他の側縁に形成した補助片７を、図中（ハ）で谷折し、その先端に形成した突条片７１を、対応する基板１１に設けた溝孔７２に差し込めば、図２で示した本発明の梱包収束具Ａを形成できる。
【００６１】
このように組み立てて製造した梱包収束具Ａの開口部１２に向けて樋支持具Ｔの打込み用釘足部Ｔ１を、図２のように順次差し込んで行けば、やがて、基板１１の開口部１２の全てに樋支持具Ｔが支持され、そのカバー体２を閉止すれば、所定数の樋支持具Ｔが収納された梱包収束具Ａが形成される。
【００６２】
そして、これらの梱包収束具Ａを順次梱包箱（不図示）に収納すれば、この梱包収束具Ａの数を数えるだけで、梱包箱（不図示）の内部に所定数の樋支持具Ｔを簡単且つ確実に収納することができる。
【００６３】
このように本発明の梱包収束具Ａによれば、樋支持具整列支持体１の開口部１１に打込み用釘足部Ｔ１を収納し、樋支持具Ｔが一定間隔をあけて並設されるため、隣設された樋支持具Ｔ同士がぶつかり合って樋支持具Ｔが傷付くことを防止できる。
【００６４】
また、打込み用釘足部Ｔ１が同方向に向けて整列されるので、収納された樋支持具Ｔが梱包箱（不図示）を突き破る危険が少なく、釘足収納部１３を設ければ、その防止効果を確実にできる。
【００６５】
また、梱包箱（不図示）内部に収納されている梱包収束具Ａの数を数えるだけで、梱包箱（不図示）内部に収納されている樋支持具Ｔの所定数を、簡単に確認できる。
【００６６】
一方、樋支持具整列支持体１の開口部１１に樋支持具Ｔの打込み用釘足部Ｔ１が収納されていなければ、樋支持具Ｔの不足が一目で判るので、樋支持具Ｔの所定数を、確実に確認できる。
【００６７】
更に、カバー体２は、本体部Ｔ２を収納しているので、輸送中の振動等によって、樋支持具Ｔ同士がぶつかり合って樋支持具Ｔが傷付くことを確実に防止できる。
【実施例２】
【００６８】
図４は、本発明に係る樋支持具の梱包収束具Ａの他の実施例を示す使用状態の概略斜視図、図５は、図４で示した梱包収束具Ａのカバー体２を閉止した状態の概略斜視図、図６は、図４、５で示した梱包収束具Ａの組立て前の展開状態を示す平面図である。
【００６９】
ここで、図１〜図３と共通する部位には、共通の番号を付して、その説明は省略し、以下では、本実施例の特徴だけを説明する。
【００７０】
図４〜図６で示した梱包収納具Ａは、樋支持具整列支持体１の開口部１２を長孔状に形成し、この開口部１２で打込み用釘足部Ｔ１の基端部分を保持するようにしている点で図１〜図３と相違するものである。
【００７１】
すなわち、図１〜図３の実施例では、打込み用釘足部Ｔ１の先端を開口部１２に貫通させて、その打込み用釘足部Ｔ１を保持するものであったのに対し、本実施例では、打込み用釘足部Ｔ１の先端を開口部１２に貫通するのではなく、打込み用釘足部Ｔ１の基端部分を直接開口部１２に嵌め込んで、その打込み用釘足部Ｔ１を保持するようにしたものである。
【００７２】
本実施例のような構造にすれば、図４で示すように、隣設して収納される樋支持具Ｔの打込み用釘足部Ｔ１と本体部Ｔ２の向きを逆方向にして順次開口部１２に収納することができるため、隣設された本体部Ｔ２同士の間に、打込み用釘足部Ｔ１を収納可能な空間が形成される。従って、本実施例では、図１〜３で示したような釘足収納部１３を形成しなくても、打込み用釘足部Ｔ１の先端が梱包箱を突き破る危険がなく、安全に収納できる。
【００７３】
また、図５に示す通り、本実施例の梱包収納具Ａは、カバー体２を閉止したときには、その全体形状が、梱包箱（不図示）と相似形の箱状に形成されているため、梱包収束具Ａを反転して収納しなくても、この梱包収納具Ａを梱包箱（不図示）にピッタリと隙間なく簡単に収納することができる。
【００７４】
更に、本実施例の取手部５は、ケーキ用の箱に使用されているような引き上げ式の取手部５を採用しており、この取手部５を引き上げれば、取手部５の元の位置に覗き窓部４が開設されるのである。
【００７５】
なお、図６は、図４、図５で示した梱包収納具Ａの組み立て前の展開図であり、図３と同じく、これを図４、図５のように組み立てる点では同じであるため省略する。
【実施例３】
【００７６】
図７は、本発明に係る樋支持具の梱包収束具Ａの更に他の実施例を示す使用状態の概略斜視図である。
【００７７】
ここで、図１〜図６と共通する部位には、共通の番号を付して、その説明は省略し、以下では、本実施例の特徴だけを説明する。
【００７８】
この樋支持具Ｔの梱包収束具Ａは、基板１１の長手方向に、樋支持具Ｔの打込み用釘足部Ｔ１を収納する開口部１２が一定間隔をあけて並設された樋支持具整列支持体１と、基板１１の側端に連設して、樋支持具Ｔの本体部Ｔ２を収納するカバー体２と、より構成してなるが、カバー体２が本体部Ｔ２だけを収納し、打込み用釘足部Ｔ１が外被した状態で保持されている点で、図１〜図６とは相違するものである。
【００７９】
すなわち、図１〜図６の実施例では、打込み用釘足部Ｔ１の先端或いは全体をカバー体２で外装する構造のものであったのに対し、本実施例では、打込み用釘足部Ｔ１を外装せずに外被した状態で収束し、この状態でダンボール箱等の梱包箱（不図示）の内部に収納するようにしたものである。
【００８０】
具体的には、開口部１２は、開放端を拡開させ、内側に向けて次第に狭くなる傾斜部１２ａを形成し、この傾斜部１２ａに連続させて打込み釘足部Ｔ１が少し窮屈な幅の長孔１２ｂを連設し、更に長孔１２ｂの最終端に打込み釘足部Ｔ１が嵌合される同径の係止孔１２ｃを形成している。
【００８１】
また、図面では見難いが、この開口部１２と同じ構造の係止部１２’を、カバー体２の開放端に対応して形成している。
【００８２】
そのため、開口部１２又は係止部１２’の一方を打込み釘足部Ｔ１の基端に嵌め込み、カバー体２で本体部Ｔ２を外装すると共に、その他方である係止部１２’又は開口部１２を打込み釘足部Ｔ１の基端に重合させて嵌め込めば、図７で示すように、カバー体２が本体部Ｔ２だけを収納し、打込み用釘足部Ｔ１が外被した状態で保持できる。
【００８３】
もっとも、本実施例のような構造にすれば、図１〜図６で示したような、打込み用釘足部Ｔ１が釘足収納部１３及び梱包箱（不図示）による二重構造で保護されないため、図１〜図６の構造のものに比べれば、打込み用釘足部Ｔ１が梱包箱（不図示）を突き破り易い点では劣っている。
【００８４】
しかしながら、本実施例の構造によれば、梱包収束具Ａを図１〜図６のものに比べて極めて簡易な構造にできる点では優れている。
【００８５】
つまり、本実施例の構造によれば、図１〜図６のような組み立て作業が不要であり、再生紙などの紙材を型紙（不図示）に合わせて周知の裁断機によって裁断するだけで、そのまま梱包収束具Ａとして使用することができ、製造が容易であるうえ、管理上の作業性も良く、低コストにできる。
【００８６】
但し、本実施例の梱包収束具Ａを梱包箱（不図示）に収納した際には、他の梱包収束具Ａを反転して収納すれば、外被されている打込み用釘足部Ｔ１は、他の梱包収束具Ａのカバー体２によって外装されたような状態で収納されるため、打込み用釘足部Ｔ１が梱包箱（不図示）を突き破る危険性はなく、安全である。
【産業上の利用可能性】
【００８７】
本発明は、梱包箱の内部に収納する樋支持具の梱包収束具として有効に利用することが可能である。
【図面の簡単な説明】
【００８８】
【図１】本発明に係る樋支持具の梱包収束具Ａの一実施例を示す使用状態の概略斜視図である。
【図２】図１で示した梱包収束具Ａの樋カバーを閉止して裏面側から見た状態の概略斜視図である。
【図３】図１、２で示した梱包収束具Ａの組立て前の展開状態を示す平面図である。
【図４】本発明に係る樋支持具の梱包収束具Ａの他の実施例を示す使用状態の概略斜視図である。
【図５】図４で示した梱包収束具Ａの樋カバーを閉止した状態の概略斜視図である。
【図６】図４、５で示した梱包収束具Ａの組立て前の展開状態を示す平面図である。
【図７】本発明に係る樋支持具の梱包収束具Ａの更に他の実施例を示す使用状態の概略斜視図である。
【図８】（ａ）、（ｂ）は、樋支持具の他の実施例を示す斜視図である。
【符号の説明】
【００８９】
Ａ      樋支持具の梱包収束具
Ｔ      樋支持具
Ｔ１    打込み用釘足部
Ｔ２    本体部
１      樋支持具整列支持体
１１    基板
１２    開口部
１３    釘足収納部
２      カバー体
３      係止機構
４      覗き窓部
５      取手部
【図１】
2006182440.tif 000003
【図２】
2006182440.tif 000004
【図３】
2006182440.tif 000005
【図４】
2006182440.tif 000006
【図５】
2006182440.tif 000007
【図６】
2006182440.tif 000008
【図７】
2006182440.tif 000009
【図８】
2006182440.tif 000010